(57)【特許請求の範囲】
【請求項１】
指向性の強い点光源と、
所定面積の底面及び側面並びに開口を有し内壁面に光を反射及び乱反射させる内側及び側面反射部が設けられたケーシングと、
前記開口を覆い光を透過、反射及び乱反射させる部材からなる放射側反射手段と、
を備え、
前記ケーシングの底面には前記点光源が複数配設されており、
前記放射側反射手段は、
前記各点光源の真上部分に前記点光源からの直接光を遮る所定範囲の中央反射部と該中央反射部の外周囲に外方反射部とを有し、
前記中央反射部は孔が設けられていない光透過性を有する反射部材で形成され、
前記外方反射部は、光透過性が大きい外方光透過部が設けられた光透過性を有する反射部材からなり、
前記外方光透過部は、前記中央反射部から遠ざかるに従って光透過量が大きくなる開口であり、
前記内側及び側面反射部は、超微細発泡光反射部材であり、前記放射側反射手段は、超微細発泡光反射部材である
ことを特徴とする面照明光源装置。
【請求項２】
前記点光源は、１個の発光ダイオード又は複数個の発光ダイオードの集合体で形成されていることを特徴とする請求項１に記載の面照明光源装置。
【請求項３】
前記中央反射部は、前記外方反射部よりも肉薄に形成されていることを特徴とする請求項１に記載の面照明光源装置。
【請求項４】
前記ケーシングは、平面視で方形状に形成されていることを特徴とする請求項１に記載の面照明光源装置。
【請求項５】
前記ケーシング側面は、前記底面の端部から外側へ広がった形状になっていることを特徴とする請求項４に記載の面照明光源装置。
【請求項６】
前記点光源は、光の三原色である赤、青、緑の発光素子を含むものであることを特徴とする請求項１に記載の面照明光源装置。
【請求項７】
請求項１〜６のいずれかに記載の面照明光源装置を複数個配置することによって構成されたことを特徴とする面照明装置。
【発明の詳細な説明】
【技術分野】
【０００１】
この発明は、ＬＣＤバックライト、照明用看板、自動車・車両等の表示装置に使用される面照明光源装置及びこれを用いた面照明装置に関する。
【背景技術】
【０００２】
特許文献１に係る面光源装置は、少なくとも一つの一次光源と、この一次光源から発せられる光を導光し且つ前記一次光源から発せられた光が入射する光入射端面及び導光される光が出射する光出射面を有する板状の導光体とを備えており、前記導光体が、前記光出射面及びその反対側の裏面の双方又は一方に光出射機構を備え、且つ前記光出射面及び前記裏面の双方又は一方に少なくとも一つの局所的レンズ列形成部を備え、この局所的レンズ列形成部のそれぞれは少なくとも一つの局所的レンズ列を含み、この局所的レンズ列が前記一次光源から発せられ前記光入射端面に入射した光のうちの最大強度光の入射位置での輝度分布におけるピーク光の方向と異なる方向に形成されているもので、これによって輝度不均一を解消するものである。
【０００３】
特許文献２に係る照明式表示装置は、一端に開口部が形成され、内側壁が光の反射面である光源収容部を有するランプハウジングと、前記光源収容部の奥壁に設けられた照明用の光源である発光ダイオードと、前記開口部の前面に履設されて所望の表示を行うための透光形状が形成された表示板とを備え、前記光源収容部内の前記発光ダイオードと前記表示板との間に嵌合されて、前記光源収容部の内壁部との接触面を形成し、入射した光を散乱して面光源にするための導光体とを備え、前記内側壁表面にシボ加工が施されるものであり、これによって、ＬＥＤのように指向性の強い光源の照明を均一化させて表示形状の視認性を向上させるものである。
【０００４】
特許文献２では、換言すれば、発光ダイオードからの光をシボ加工された内側壁面で拡散反射して拡散フィルム等の作用で均一にしている。
また、特許文献３では、光の放射面上に形成された拡散層における微小反射部からの反射光と、発光ダイオード（ＬＥＤ）の周辺に設けられた反射器と、の間での反射の繰り返しにより、均一光を得る旨が開示されている。
【０００５】
さらに、特許文献４では、ＬＥＤから出射された指向性のある光（特にＬＥＤ直上の強い光）を、放射面に形成された反射部でＬＥＤ側に反射させている。これにより、光の方向を変化させてＬＥＤからの光強度を減少させ、均一な光を得る点が開示されている。
【先行技術文献】
【特許文献】
【０００６】
【特許文献１】特開２００２−３４３１２４号公報
【特許文献２】特開２００３−１８６４２７号公報
【特許文献３】特開２００５−２８４２８３号公報
【特許文献４】特開２００６−１２８１８号公報
【発明の概要】
【発明が解決しようとする課題】
【０００７】
表示装置や照明等の光源として、電力消費量や発熱が少ない点から発光ダイオード（ＬＥＤ）の使用が検討されるが、ＬＥＤは指向性が強いため、広い面で均一光量分布を得るためには、従来上述した特許文献に開示されるような工夫が必要であった。
【０００８】
しかしながら、特許文献１では、ＬＥＤによる指向性の強い光を均等化するために、ＬＥＤ光源を放射方向に対して横に設けたりしている。このため、大きなスペースを要する。
【０００９】
特許文献２では、ＬＥＤの放射方向に所定の厚みが必要であった。また、内側拡散フィルムで散乱された光は、ベース板で吸収されてしまう等、ＬＥＤからの光を全て利用するとの思想はなかった。
【００１０】
また、特許文献３では、放射面やＬＥＤの周辺の底面には反射板が設けられていても、側面には反射板が設けられていない。このため、ＬＥＤを取り囲むような空間において、光の多重反射を起こさせて全てのＬＥＤからの光を利用しつつ均一な照明光を得ることはできない。
【００１１】
さらに、特許文献４では、ＬＥＤからの光の進行経路をコントロールすることで、均一な照明を得ようとする思想である。すなわち、放射面上の反射部は光の進行方向を変えるために用いられている。しかし、これでは光強度が弱められてしまうとともに、多重反射を利用して均一な光を得ることはできない。
【００１２】
このため、この発明は、ＬＥＤのような指向性の強い点光源を用いても、この光を高い効率で利用しながら、ＬＥＤの放射方向の厚みを増大させることなく、しかも、該点光源を覆う放射側反射手段の真上部分に明るいスポットを残すことなく、また反対にこの真上部分を暗くさせることもなくして、広い面積で均一な照明光を得ることができる面照明光源装置及び面照明装置を提供することにある。
【課題を解決するための手段】
【００１３】
したがって、この発明の面照明光源装置は、指向性の強い点光源と、所定面積の底面及び側面並びに開口を有し内壁面に光を反射及び乱反射させる内側及び側面反射部が設けられたケーシングと、前記開口を覆い光を透過、反射及び乱反射させる部材からなる放射側反射手段と、備え、前記ケーシングの底面には前記点光源が複数配設されており、前記放射側反射手段は、前記各点光源の真上部分に前記点光源からの直接光を遮る所定範囲の中央反射部と該中央反射部の外周囲に外方反射部とを有し、前記中央反射部は孔が設けられていない光透過性を有する反射部材で形成され、前記外方反射部は、光透過性が大きい外方光透過部が設けられた光透過性を有する反射部材からなり、前記外方光透過部は、前記中央反射部から遠ざかるに従って光透過量が大きくなる開口であり、前記内側及び側面反射部は、超微細発泡光反射部材であり、前記放射側反射手段は、超微細発泡光反射部材であることを特徴とする。
この構成によれば、ＬＥＤのような点光源を用いても、この光を高い効率で利用しながら、点光源の放射方向の厚みを増大させることなく、また、反対にこの真上部分を暗くさせることもなくして、広い面積で均一な照明光を得ることができる。また、この面照明光源装置を複数配することによって均等な照明光を発生させる面照明装置を構成することができる。
【００１５】
また、前記点光源は、１個の発光ダイオード又は複数個の発光ダイオードの集合体で形成するものとすることができる。
【００１６】
また、この発明の面照明光源装置は、前記中央反射部は、前記外方反射部よりも肉薄に形成するものとすることができる。この好ましい実施形態によれば、中央反射部にスポットを残すことなく、しかも中央反射部が暗くなることがない。
【００１９】
また、この発明の面照明光源装置は、前記ケーシングは、平面視で方形状に形成されているものとすることができる。
【００２０】
また、この発明の面照明光源装置は、前記ケーシング側面を前記底面の端部から外側へ広がった形状にするものとすることができる。この好ましい実施形態によれば、底面の端部に余剰の空間が形成されるので、この空間を例えば構造材や電気配線などに使用することが可能になる。
【００２５】
また、この発明の面照明光源装置は、前記点光源は、光の三原色である赤、青、緑の発光素子を含むものであるものとすることができる。
【００２６】
また、この発明の面照明装置は、上記の面照明光源装置のいずれかに記載の面照明光源装置を複数個配置することによって構成されたことを特徴とする。この面照明装置によれば、より広い範囲を均一な照明光で照明することができる。
【発明の効果】
【００２７】
これらの面照明光源装置に係る発明によれば、点光源を用いても、この光を高い効率で利用しながら、点光源の放射方向の厚みを増大させることなく、しかも、この点光源を覆う放射側反射部の真上部分に明るいスポットを残すことなく、また反対にこの真上部分を暗くさせることもなくして、広い面積で均一な照明光を得ることができる。また、この面照明光源装置を複数配することによって均等な照明光を発生させる面照明装置を構成することができる。
【図面の簡単な説明】
【００２８】
【図１】本願発明の面照明光源装置の概略構成図である。
【図２】（ａ）、（ｂ）は、それぞれ第２の実施形態の放射側反射部の構成を示した概略説明図である。
【図３】第３の実施形態の放射側反射部の構成を示した概略説明図である。
【図４】第４の実施形態の放射側反射部の構成を示した概略説明図である。
【図５】（ａ）は、第６の実施形態を示すもので、面照明装置の構成を示した概略平面図、（ｂ）は、その正面図である。
【図６】第７の実施形態の面照明装置の構成を示した概略説明図である。
【図７】（ａ）は、第９の実施形態の帯状の面照明光源装置の実施例平面図、（ｂ）は、その縦断面図である。
【図８】第１０の実施形態の帯状の面照明光源装置を湾曲させたものの概略図である。
【図９】（ａ）は、第１３の実施形態の多角形の面照明光源装置の平面図、（ｂ）は、面照明光源装置の他の実施形態の平面図、（ｃ）は、面照明光源装置のさらに他の実施形態の断面平面図、（ｄ）は、その平面図である。
【図１０】（ａ）は、複数光源を備えた面照明光源装置の断面平面図、（ｂ）は、そのＱ−Ｑ断面図、（ｃ）は、その平面図、（ｄ）は、Ｑ−Ｑ線上での光強度を示す図である。
【図１１】（ａ）は、第１８の実施形態の面照明光源装置の縦断面図、（ｂ）は、その断面平面図である。
【図１２】（ａ）は、反射体や放射側反射手段の形状を変更した概略縦断面図、（ｂ）は、その斜視図、（ｃ）は、第２の放射側反射手段の斜視図、（ｄ）は、第１の放射側反射手段の斜視図、（ｅ）は、反射体の斜視図である。
【図１３】第２０の実施形態の面照明装置を示す縦断面図である。
【図１４】図１９（ｃ）で紹介した構造のものの配列である。
【図１５】（ａ）は面照明光源装置を配列したものの断面平面図、（ｂ）はその斜視図、（ｃ）は隔壁の変形例を示す図、（ｄ）は、その斜視図である。
【発明を実施するための形態】
【００２９】
以下、この発明の実施形態について図面により説明する。
この発明に係る面照明光源装置１は、例えば図１に示すように、一つの発光ダイオード若しくは複数の発光ダイオードからなる発光ダイオード群である指向性の強い発光源２と、この発光源２の放射方向に放射面３Ａを有する導光体３と、発光源２を囲設すると共に導光体３の放射面以外の面を閉鎖するケーシング４とによって構成されると共に、ケーシング４と導光体３の間の全体に内側反射手段としての内側反射部５が設けられ、放射面３Ａには、本願の特徴である発光源２からの光を所定の割合で反射させる放射側反射手段としての放射側反射部６が設けられるものである。
【００３０】
そして、これら内側反射部５および放射側反射部６には、光吸収の少ない材質が用いられている。この点は、以下の各実施形態の全てにおいて共通する事項である。
このように、ケーシング４は、その底面の内側反射部５と側面の側面反射部（図示せず）とを有しているので、発光源２から放射された光はこれらの反射部にて吸収されることなく多重反射される。これにより、発光源２から放射された光を略全て利用して、均一な照明光を得ることが可能な構造となっている。
【００３１】
さらに、ケーシング４は、側面が上方に向かって垂直に延びる以外にも、例えば後述する図１９（ｃ）に示すように、側面が上方に向かって広がった形状でも良い。
また、発光源２としては、発光ダイオードやレーザダイオード（ＬＤ）を含む概念である。また、前述したように、発光源２は、発光素子が１個の単体のみならず、複数の発光素子が近接して配置された集合体である場合をも含む。さらに、例えば光の三原色である赤、青、緑の発光素子を近接配置した場合も含む。
【００３２】
さらに、図１では、ケーシング４内に発光源２を１つ配置した場合を示しているが、これに限らず、ケーシング４内に複数個の発光源２を配置しても良い。この場合の発光源２の配置は、マトリクス状の配置である場合や、その他、中央に配置された１つの発光源２に対して点対称な配置である場合等が考えられる（後述する図１６参照）。しかも、ケーシング４内に複数個の発光源２を配置した場合でも、この発光源２を密に並べることなく均一な面照明を得ることができる。
【００３３】
ところで、ケーシング４の大きさと放射側反射部６の形状は、放射側反射部６の均一な照明を得るために重要なファクターとなる。
そこで発明者は、例えばケーシング４の大きさを１０ｃｍ×１０ｃｍ×１．５ｃｍ（高さ）の直方体とし、発光源２を略１Ｗで６４ｌｍの光を放出するＬＥＤを用いて実験を行った。この場合、放射側反射部６の形状は、後述する図４（ａ）の形状に類するもので実施した。
【００３４】
また、内側反射部５と放射側反射部６として、超微細発泡光反射板（商品名 ＭＣＰＥＴ）を用いた。そして、放射側に拡散体を配置して放射側反射部６の形状による影響を除き、均一光にして照度を測定した。すると、６０００ｌｕｘの照度が得られた。このことは、ＬＥＤから出射した光の９４％を利用することができたことになる。
【００３５】
次に、発明者は、内側反射部５として、前述した超微細発泡光反射板を用いて実験を行った。この場合、放射側反射部６として、チタンホワイトの微粒子をエマルジョン化したものを用いた。放射側反射部６の形状は、スクリーン印刷により、後述する図４（ａ）の形状に類するもので実施した。
【００３６】
こうして、光を均一化して照度を測定したところ、５８３０ｌｕｘの照度が得られた。このことは、ＬＥＤから出射した光の９１％を利用することができたことになる。
さらに、発明者は、放射側反射部６をポリテトラフロロエチレン（ｐｏｌｙ ｆｌｕｏｒｏ ｃａｒｂｏｎ）の微粒子（商品名 Ｇ−８０Ｈａｌｌｏｎ）を用いたところ、５９５０ｌｕｘの照度が得られた。このことは、ＬＥＤから出射した光の９３％を利用することができたことになる。
【００３７】
なお、内側反射部５として、チタンホワイトやポリテトラフロロエチレン（ｐｏｌｙ ｆｌｕｏｒｏ ｃａｒｂｏｎ）の微粒子を用いた場合にも、ＬＥＤから出射した光の９０％以上の光を利用することができた。
【００３８】
すなわち、本実施形態の面照明光源装置１によれば、ＬＥＤから出射した光のほとんど９０％以上（略１００％に近く）を利用しながら、均一な照明光を得ることができる。
なお、下記する実施形態の説明において、図面において同一の符号を付したものは同一のもの及び同様の効果を奏するものであるから、説明を省略する場合がある。
【００４９】
（第２の実施形態）
図２（ａ）、（ｂ）に、本実施形態の放射側反射部６を示す。
図２（ａ） に示すように、この放射側反射部６は、導光体３に設けられた円形の中央反射部６Ａと、この中央反射部６Ａから外方に所定の間隔を空けて同心に配された複数 のリング状の外方反射部６Ｂを具備する。これによって所定の間隔で外方光透過部７が形成される。さらに、中央反射部６Ａは、放射面３Ａに設けられた円形の 反射板又は反射膜であり、外方反射部６Ｂは、円形の反射板又は反射膜から所定の間隔で、この反射板又は反射膜に同心に形成された環状の反射板又は反射膜で ある。
【００５０】
また、本実施形態では、外方反射部６Ｂを構成する反射板又は反射膜の幅は、外側にいくにしたがって、狭くなるように形成されている。これによって、光量の多い中央部分での光透過量を制限し、外側の光透過量を増大させることができるので、照明光の均一化をさらに図れるものである。
【００５２】
さらに、図２（ｂ） に示すように、ケーシング４が平面視方形状の場合は、中央反射部６Ａは、放射面３Ａに設けられた楕円形の反射板又は反射膜である。また、外方反射部６Ｂは、楕円形の反射板又は反射膜から所定の間隔で、この反射板又は反射膜に同心に形成された楕円形の反射板又は反射膜である。また、ケーシング４が平面視方 形状である場合に、その内側の隅部に、該ケーシング４の中心に向けて光を反射する弧状の反射部材５'を配置している。これにより、ケーシング４の対向する 隅部にまで、くまなく光を反射させることができる。その他の構成は、第１の実施形態と同様である。
【００５３】
（第３の実施形態）
図３に、本実施形態の放射側反射部６を示す。
図３に示すように、この放射側反射部６は、導光体３に設けられたケーシング４の形状と類似形に形成された方形の中央反射部６Ａと、この中央反射部６Ａから外方 に所定の間隔を空けて配された複数の方形リング状の外方反射部６Ｂを具備する。また、これによって所定の間隔で外方光透過部７が形成される。
【００５４】
さらに、中央反射部６Ａは、放射面３Ａに設けられ、ケーシング４と相似形状に形成された反射板又は反射膜であり、外方反射部６Ｂは所定の間隔でこの反射板又は反射膜に形成された帯状の反射板又は反射膜である。
【００５５】
これによって、ケーシング４の形状に合わせて、光量の多い中央部分での光透過量を制限し、外側の光透過量を増大させることができるので、照明光の均一化をさらに図れるものである。
【００５７】
（第４の実施形態）
図５に、本実施形態の放射側反射部６を示す。
本実施形態では、放射側反射部６は、発光源２の前面の放射面３Ａに穿設された所定の頂角を有する錐形状の反射体８である。この反射体８は、均等に反射可能な円錐形状又はケーシング形状と相似形である角錐形状が望ましい。また、その頂角を適正に設定することによって、発光源から放射面に対して略直線状に放射される光を全反射若しくは部分反射させることができるものである。これによって、上述した第１の実施形態と同様の効果を奏することができる。
【００５９】
（第６の実施形態）
図７（ａ）（ｂ）は、面照明光源装置１を複数配置して形成された面照明装置２０の実施形態を示している。図７（ａ）は、面照明装置２０の平面図であり、図７（ｂ）は、その正面図である。
すなわち、この面照明装置２０は、上述した第１〜第５の実施形態の面照明光源装置１を所望の大きさとなるように複数配置して形成したものである。また、この場合に、面照明装置２０の照明分布の均一性を向上させるために、配置された面照明光源装置１の前面に、光拡散プレート３０を配するようにしたものである。
【００６０】
（第７の実施形態）
図８は、面照明装置２０'の他の実施形態を示している。
本実施形態では、正六角柱形状の面照明光源装置１'を複数配置することによって、ハニカム形状の面照明装置２０'を構成したものである。
すなわち、前述した第１〜第５の実施形態の面照明光源装置１の導光体３を正六角柱に形成している。また、これに対応して正六角形のケーシング４を形成し、全体として正六角柱形状の面照明光源装置１'を形成したものである。
【００７１】
（第９の実施形態）
図１０（ａ）（ｂ）は、面照明光源装置１の実施形態を示している。図１０（ａ）は、その平面図であり、図１０（ｂ）は、そのＮ−Ｎ線に沿う断面の概略図である。
この面照明光源装置１は、その中央の特定点５１を通過する直線６８に対して左右対称の構造をしている。さらに、直線６８と直交する方向に長い帯状の導光体３を使用している。中央には、直線６８に対して左右対称の方形の反射体６３が設けられている。これが、中央反射部に相当する。また、この反射体６３を間に挟むように、反射体６４が設けられている。反射体６４は、直線６８と平行なスリット群６５を有する。反射体６４は、これまでの実施形態の外方反射部に相当する。図の例では、反射体６４は中央の直線６８から離れるほど幅が細くなっている。
【００７２】
一方、スリット６５は、中央の直線６８から離れるほど幅が広くなっている。これにより、全体として平坦な強度の光を放射できる。この実施形態の場合、反射体の形状が単純なので、製造が容易で安価にできる。また、堅牢で直線状の長手方向に均一な光を発する光源を実現できる。なお、帯状の導光体を使用する場合には、側面６９での光の反射は非常に重要である。この側面６９に反射率の良い反射体を配置することが好ましい。また、端面６１についても、良好な反射面を設けると効率が良い。
【００７３】
（第１０の実施形態）
図１１は、それぞれ面照明光源装置１の他の実施形態を示している。
図１１は、例えば、帯状の面照明光源装置１を湾曲させたものの斜視図である。
前述した導光体３を透明プラスチックのような柔軟な板状体で構成すると、図１１のように、自由に湾曲させることができる。従って、例えば、柱等の湾曲面に取り付けて線状光源あるいは帯状光源として使用することができる。他の実施形態で説明した面照明光源装置１についても、同様に柔軟な板状体で構成すると、任意の湾曲面に沿うように湾曲して使用することができる。もちろん、硬質材料を金型等で成型して、湾曲した導光体を製造しても構わない。
【００７９】
（第１３の実施形態）
図１４（ａ）は、複数の点光源２を配置した多角形の面照明光源装置１の実施例平面図である。
本実施形態では、面照明光源装置１を、例えば、様々な形状の多角形で構成することができる。直角三角形、正方形、六角形、等の形状のものを組み合わせると、建物等の壁面全体を覆う照明や光源装置として利用できる。
【００８０】
図１４（ａ）に示した壁７１上の実線７２が、単体の面照明光源装置１の境界である。この場合、点光源２は正六角形の中心位置にそれぞれ設けられている。そして、実線７２が反射板としての隔壁となっている。なお、この隔壁は、より均一な照明光を得るために設けられるものである。しかし、この隔壁がなくても実用的には均一な照明光を得ることはできる。
【００８１】
図１４（ｂ）は、複数の点光源２を配置した多角形の面照明光源装置７３の他の実施形態の平面図である。
同図１４（ｂ）に示すように、例えば、面照明光源装置７３は、前述した反射板としての隔壁で６つの正三角形を組み合わせて構成してもよい。この場合、点光源２は正三角形の中心位置にそれぞれ設けられる。また、本実施形態では、６つの正三角形面に対応して放射側反射部６を形成している。この放射側反射部６により、スリット７４を直線的に形成し、かつ不連続に形成している。このようにすると、既に説明したように、正六角形の構造（ハニカム構造）であるため強度も高い、また、製造も容易である。
【００８２】
図１４（ｃ）（ｄ）は、さらに他の実施形態の面照明光源装置１の断面平面図を示している。この図１４（ｃ）では、図１４（ｄ）から放射側反射部６を除去した状態を示している。
【００８３】
この面照明光源装置１は、反射板としての正三角形の隔壁７２で複数に区画されている。また、正三角形の隔壁７２の中心位置に点光源２がそれぞれ設けられている。また、図１４（ｄ）に示すように、正三角形の隔壁７２で仕切られた部分ごとに、所定パターンを有する放射側反射部６を形成している。
【００８７】
（第１５の実施形態）
図１６（ａ）〜（ｄ）は、複数光源９１を有する面照明光源装置９０の概略説明図である。
図１６（ａ）は導光体３の平面図である。ここでは、後述する図１６（ｃ）で示す外方反射部６Ｂや中央反射部６Ａの図示は省略した。
また、内側反射部５は、背面５２および側面５３上に配置されて、導光体３の内部を伝搬する光を放射面３Ａもしくは側面５３方向に反射する反射面を有している。これにより、発光源９１から放射された光はこれらの反射面にて吸収されることなく多重反射される。こうして、発光源９１から放射された光を略全て利用して、均一な照明光を得ることが可能な構造となっている。
【００８８】
図のように、この面照明光源装置９０には、５個の点光源９１が設けられている。このＱ−Ｑ断面図を図１６（ｂ）に示す。本実施形態では、導光体３の背面に相当する部分に、５個の点光源９１が点対称に配列されている。なお、点光源９１の数は５個に限るものではなく、また、その配置も、例えば多数の点光源９１をマトリクス状に配置しても良い。
【００８９】
また、後述する図１９（ｃ）に示すように、側面５３が上方に向かって広がった形状でも構わない。
このとき、前述した外方反射部６Ｂや中央反射部６Ａは、１個の点光源のために設計したパターン９５を、図の矢印のように重ね合わせて使用するとよい。この場合、オリジナルをそのまま重ね合わせると、全体として外部へ放射される光量が減る。従って、スリットの幅を単体の場合に比べて広くして、明るくて均一な明るさの光源を実現するとよい。
【００９０】
図１６（ｃ）は、上述した面照明光源装置９０の平面図である。この実施形態では、放射側反射部６として、導光体３に設けられた円形の中央反射部６Ａと、この中央反射部６Ａから外方に所定の間隔で同心に配された複数のリング状の外方反射部６Ｂを備えている。これによって、所定の間隔で外方光透過部７が形成されている。なお、放射側反射部６は、円形状のものを例として説明したが、これに限らず、例えば帯状のものであっても良い。
【００９１】
図１６（ｄ）は、図９の上段に示したものと同一の形式のグラフで、図１６（ａ）のＱ−Ｑ線上での光強度である。また、横軸上の点ｙ、ｚは点光源９１の位置である。
本実施形態によれば、複数の点光源９１の光が合成されることにより、広い面積で非常に平坦な特性Ｘが得られた。
【０１０９】
（第１８の実施形態）
図２０（ａ）（ｂ）は、面照明光源装置１００の他の実施の形態を示す図である。
この実施形態では、面照明光源装置２００は、導光体１０３の背面に相当する部分に、少なくとも１つの点光源１０２（本実施形態では６つ）がマトリクス状に配列されている。なお、点光源１０２の数は任意に設定することができる。
【０１１０】
ずなわち、内側反射手段１１０は、背面１０５および側面１０６上に配置されて、導光体１０３の内部を伝搬する光を放射面１０４もしくは側面１０６方向に反射する反射面を有している。これにより、発光源１０２から放射された光はこれら の反射面にて吸収されることなく多重反射される。こうして、発光源１０２から放射された光を略全て利用して、均一な照明光を得ることが可能な構造となって いる。
【０１１１】
また、この実施形態では、隣接する点光源１０２の間を仕切る反射板としての隔壁は設けられていない。さらに、図１９（ｃ）に示したように、側面１０６が上方に向かって広がった形状でも構わない。
【０１１２】
これは、それぞれの点光源１０２から放射された光が、内側反射手段１１０の背面１０５及び側面１０６に形成された反射面や、第１の放射側反射手段１２０、さらに第２の放射側反射手段１４０で反射を繰り返し、多重反射による光量の均一化が図られるためである。しかし、より均一な照明光を得るためには、上述の隔壁を設けた方が良いのは勿論である。
【０１１３】
なお、面照明光源装置１００の外形が大きくなってくると、装置中央部付近がたわむおそれがある。この場合には、補強板として、例えば透明板や反射板を装置中央部に取り付けても良い。
【０１２０】
（第２０の実施形態）
図２３は、本実施形態の面照明装置１３０を示す縦断面図である。
同図２３において、面照明装置１３０は、図２１で説明した面照明光源装置１００を単位モジュールとして、この面照明光源装置１００を平面的に多数（図では左右方向に５個）マトリクス状に配列したものである。すなわち、それぞれの面照明光源装置１００は、内側反射手段１１０の筐体内に点光源１０２と、第１の放射側反射手段１２０を有している。そして、面照明装置１３０は、これら複数の面照明光源装置１００の上部をまとめて覆うように配置された一枚板の大きな拡散プレート３０を有している。この拡散プレート３０は、第２の放射側反射手段１４０に相当する。
【０１２１】
実験によれば、１個のＬＥＤを使用したものの実用的なサイズは、縦横１０センチメートルで、この構成にすることにより数メートル四方の平坦な均一な面光源を得ることができた。
【０１２２】
図２４は、図１９（ｃ）で紹介した内側反射手段１１０を備えたモジュール１６０を、多数マトリクス状に配列してできた面照明装置１３０の正面図である。
この面照明装置１３０では、第１の放射側反射手段１２０と第２の放射側反射手段１４０の図示を省略している。
【０１２３】
同図において、各モジュール１６０は内側反射手段１１０を備えていて、隣接する内側反射手段１１０の間に余剰の空間１６１が形成されている。このため、この余剰の空間１６１を、例えば構造材や電気配線などに用いることができる。
【０１２４】
図２５（ａ）〜（ｄ）は、多数の面照明光源装置１００をマトリクス状に配列して面照明装置１３０を形成したものの平面図である。
すなわち、この面照明装置１３０においても、第１の放射側反射手段１２０と第２の放射側反射手段１４０の図示を省略している。
【０１２５】
同図２５（ａ）（ｂ）において、点光源１０２は、格子状の隔壁１６２で区画されたそれぞれの面照明光源装置１００ごとに１個づつ設けられている。このとき、隔壁１６２に相当する部分が非常に有効に機能する。また、このように、面照明光源装置１００を多数配置することにより、大面積の導光体内部に複数の点光源を配置したものと比較して、出力光の均一さの点で、きわめて有利であることも実証できた。
【０１２６】
なお、隔壁１６２は、図２５（ａ）（ｂ）に示すように格子状でもよいし、図２５（ｃ）（ｄ）に示すように、渦巻き状に形成したものでもよい。渦巻き状の隔壁１６２の場合は、この隔壁１６２がマトリクス状に配置されたそれぞれの面照明光源装置１００ごとに１個づつ配置される。
【０１２７】
なお、この格子状又は渦巻き状の隔壁１６２は、図２３の第１の放射側反射手段１２０と第２の放射側反射手段１４０との間に配置しても良い。また、この渦巻き状の隔壁１６２を、大きく形成して、第１の放射側反射手段１２０と第２の放射側反射手段１４０との間にまとめて１個配置しても良い。
【０１２８】
一般的に、「導光板を用いたＬＥＤ看板」であると、構造上、ユニットを横に繋げるため、つなぎ目のない巨大な均一照明の看板を作るのは非常に困難である。これは、ＬＥＤ位置と導光板位置が重なり、隣接する導光板間に隙間を設けないと並べることができないためである。しかし、本実施形態では、照明する面と同一面内にＬＥＤを並べているので、つなぎ目のない巨大な均一照明の看板を得ることができる。
【０１２９】
本実施形態によれば、光のミキシング性と前方に光を投射する性能に優れる。
【符号の説明】
【０１４３】
１、１' 面照明光源装置
２ 発光源
３ 導光体
３Ａ 放射面
４ ケーシング
５ 内側反射部
５' 反射部材
６、１０ 放射側反射部
６Ａ、１０Ａ 中央反射部
６Ｂ、１０Ｂ 外方反射部
６Ｃ 中央光透過部
７ 外方光透過部
８ 反射体
９ 光透過基板
２０、２０' 面照明装置
３０ 光拡散プレート
５０ 平面
５１ 特定点
５２ 背面
５３ 側面
５８ 基準線
５９ 基準点
６１ 端面
６３ 反射体
６４ 反射体
６５ スリット群
６８ 直線
６９ 端面
７１ 壁
７２ 実線
７３ 面照明光源装置
７４ スリット
８０ フィルム
８１ スリット
９０ 面照明光源装置
９１ 点光源
９５ パタン
９６ ガラス板
９７ 反射膜
１００ 面照明光源装置
１０１ 特定点
１０２ 点光源
１０３ 導光体
１０４ 放射面
１０５ 背面
１０６ 側面
１１０ 内側反射手段
１１５ 隔壁
１２０ 第１の放射側反射手段
１２１ 第１の反射面
１２２ 第２の反射面
１２５ 開口群
１３０ 面照明装置
１３１ 光
１３２ 光
１３３ 光
１４０ 第２の放射側反射手段
１４１ 第３の反射面
１４２ 微小孔群
１４５ 円
１４７ 光
１５０ 反射体
１６０ モジュール
１６１ 余剰の空間
１６２ 隔壁
１６５ 反射体
１６８ 基準線
１７３ 光
１７５ 円
１８１ 円
１８２ 光反射粒体
１８４ 光
１９０ 放射側反射手段
２６０ 放射側反射手段
【図１】
0005678243.tif 000002
【図３】
0005678243.tif 000003
【図４】
0005678243.tif 000004
【図５】
0005678243.tif 000005
【図６】
0005678243.tif 000006
【図７】
0005678243.tif 000007
【図８】
0005678243.tif 000008
【図９】
0005678243.tif 000009
【図１１】
0005678243.tif 000010
【図１２】
0005678243.tif 000011
【図１３】
0005678243.tif 000012
【図１４】
0005678243.tif 000013
【図１５】
0005678243.tif 000014
【図２】
0005678243.tif 000015
【図１０】
0005678243.tif 000016